(57)【要約】【課題】  硬質プラスチック製の板材を切断する際に、こば欠け、亀裂等が発生しないようにする。【解決手段】  円板状の台金（１１）の外周部に少なくとも２刃１組みの組刃を円周方向に多数組設け、各組刃は先端傾き角（Ｄ１）及び横すくい角（Ｂ１）が互いに反対向きに傾斜した一対の傾斜刃（１４，１５）を有するとともに、各傾斜刃（１４，１５）の先端切刃の回転先行側（１４ａ，１５ａ）を該先端切刃の回転反先行側（１４ｂ，１５ｂ）に対して刃丈を低く、かつ台金（１１）から外側方への突出量を大きくする。【選択図】        図３
2005059124.tif 000002
【特許請求の範囲】
【請求項１】
円板状の台金（１１）の外周部に少なくとも２刃１組みの組刃を円周方向に多数組設け、各組刃は先端傾き角（Ｄ１）及び横すくい角（Ｂ１）が互いに反対向きに傾斜した一対の傾斜刃（１４，１５）を有するとともに、各傾斜刃（１４，１５）の先端切刃の回転先行側（１４ａ，１５ａ）を該先端切刃の回転反先行側（１４ｂ，１５ｂ）に対して刃丈を低く、かつ台金（１１）から外側方への突出量を大きくしたことを特徴とする回転鋸。
【請求項２】
各傾斜刃（１４，１５）の先端傾き角（Ｄ１）及び横すくい角（Ｂ１）は３度〜１５度とし、各傾斜刃（１４，１５）の先端切刃の回転先行側（１４ａ，１５ａ）を該先端切刃の回転反先行側（１４ｂ，１５ｂ）に対して台金（１１）から外側方に０．００５ｍｍ〜０．０４ｍｍ大きく突出させたことを特徴とする請求項１記載の回転鋸。
【請求項３】
各組刃は互いに反対向きに傾斜した先端傾き角（Ｄ１）及び横すくい角（Ｂ１）を有する複数個の傾斜刃（１４，１５）と、１個の平刃（１６）とし、前記各傾斜刃（１４，１５）の先端切刃の回転先行側（１４ａ，１５ａ）を該先端切刃の回転反先行側（１４ｂ，１５ｂ）に対して刃丈を低く、かつ台金（１１）から外側方への突出量を大きくしたことを特徴とする請求項１又は２記載の回転鋸。
【発明の詳細な説明】
【技術分野】
【０００１】
本発明は、脆い板材、例えば硬質プラスチック製の板材が円滑に切断できる回転鋸に関するものである。
【背景技術】
【０００２】
従来の技術として、図７〜図９に示すものがあった。図７において、１は回転鋸であり、この回転鋸１は、円板状の台金２の外周に鋸刃形の刃台３を円周方向に等ピッチで形成し、各刃台３の回転面側に２個の第１、第２傾斜刃４，５と１個の平刃６からなる３刃１組みの組刃を円周方向に多数組固着する。
【０００３】
各組刃の第１、第２傾斜刃４，５は、図８、図９に示すように、横すくい角Ｂ及び先端傾き角Ｄが互いに反対向きに傾斜するとともに、各傾斜刃４，５の先端切刃の回転先行側４ａ，５ａを該先端切刃の回転反先行側４ｂ，５ｂに対して刃丈を高くし、かつ上記先端切刃の回転先行側４ａ，５ａの台金２から外側方への突出量は、回転反先行側４ｂ，５ｂのそれに対して外側方に所定量大きく突出（Ｌ）させる。また、各組刃の平刃６は各傾斜刃４，５の先端切刃の回転先行側４ａ，５ａに対して所定量低くするとともに、その両端（刃厚）は上記各回転先行側４ａ，５ａ間の幅よりも若干小さくする。
【非特許文献１】チップソー、第１版２刷、昭和５１年６月３０日発行、槇書店、著者；坂井  秀治、発行者；吉田  全夫、第７６頁
【発明の開示】
【発明が解決しようとする課題】
【０００４】
上記従来のものは、先端切刃の回転先行側４ａ，５ａが傾斜刃４，５の最外側に位置するとともに、回転反先行側４ｂ，５ｂよりも刃丈が高く、かつすみ角が尖鋭となっていたため、該回転先行側４ａ，５ａの切削稜線が長くなり、被削材に大きな衝撃が発生することになる。このため、硬質プラスチック製の板材、あるいは表面に硬質の化粧膜が固着された板材（化粧板）を切断すると、板材の切り口面にこば欠け、亀裂等が発生するものであった。本発明は上記欠点を解消した新規な回転鋸を得ることを目的とする。
【課題を解決するための手段】
【０００５】
本発明は、上記目的を達成するために以下の如く構成したものである。即ち、請求項１に係る発明は、円板状の台金の外周部に少なくとも２刃１組みの組刃を円周方向に多数組設け、各組刃は先端傾き角及び横すくい角が互いに反対向きに傾斜した一対の傾斜刃を有するとともに、各傾斜刃の先端切刃の回転先行側を該先端切刃の回転反先行側に対して刃丈を低く、かつ台金から外側方への突出量を大きくする構成にしたものである。
請求項２に係る発明は、各傾斜刃の先端傾き角及び横すくい角は３度〜１５度とし、各傾斜刃の先端切刃の回転先行側を該先端切刃の回転反先行側に対して台金から外側方に０．００５ｍｍ〜０．０４ｍｍ大きく突出させたものである。
請求項３に係る発明は、各組刃は互いに反対向きに傾斜した先端傾き角及び横すくい角を有する複数個の傾斜刃と、１個の平刃とし、前記各傾斜刃の先端切刃の回転先行側を該先端切刃の回転反先行側に対して刃丈を低く、かつ台金から外側方への突出量を大きくしたものである。
【発明の効果】
【０００６】
本発明は、各傾斜刃の先端切刃の回転先行側を回転反先行側に対して刃丈を低く、かつ台金から外側方への突出量を大きくしたので、切断時においては、すみ角が尖鋭となった先端切刃の回転反先行側が切り口面の内側を切削し、次いですみ角が鈍角となった先端切刃の回転先行側が切り口面の両側を切削することになる。しかも、該先端切刃の回転先行側は横すくい角を有するので、上記切り口面の両側を内方に引き込みながら切削することになる。このため、先端切刃の回転先行側による切削稜線が短くなり、上記切り口面の両側切削時の衝撃が少なくなってこの部のこば欠け、亀裂等の発生が防止され、硬質プラスチック製の板材を円滑に切断することができる。
また、平刃が切り口面の内側を切削することになるので、上記先端切刃の回転反先行側の切削稜線も短くなり、該先端切刃の回転反先行側による切削時の衝撃も少なくなる。
【発明を実施するための最良の形態】
【０００７】
以下本発明の実施例を図面に基いて説明する。図面において、図１は本発明の実施例を示す回転鋸の部分側面図、図２は図１の平面図、図３は図１のIII示図、図４は傾斜刃部の拡大側面図、図５は図４のV示図、図６は図４のVI示図である。
【０００８】
図１〜図３において、１０は回転鋸であり、円板状の台金１１の外周に多数の刃台１２を円周方向に不等ピッチあるいは等ピッチで形成し、各刃台１２の回転面側に先端傾き角Ｄ１及び横すくい角Ｂ１が互いに反対向きに傾斜した一対の第１、第２傾斜刃１４，１５、及び１個の平刃１６を一組とする組刃を円周方向に多数組固着する。
【０００９】
上記各第１、第２傾斜刃１４，１５の先端切刃の回転先行側１４ａ，１５ａは、図３に示すように、先端切刃の回転反先行側１４ｂ，１５ｂに対して刃丈を低くするとともに、上記先端切刃の回転先行側１４ａ，１５ａの台金１１から外側方への突出量は、先端切刃の回転反先行側１４ｂ，１５ｂのそれに対してＬ１、本例では０．００５ｍｍ〜０．０４ｍｍ大きく突出させる。
【００１０】
また、上記各第１、第２傾斜刃１４，１５の各部の角度は、図３〜図６に示すように、先端傾き角Ｄ１及び横すくい角Ｂ１は共に３度〜１５度、好ましくは５度とし、すくい角Ａ１は１０度〜２０度、先端逃げ角Ｃ１は５度〜１５度、側面逃げ角Ｓ１は１度〜４度、側面向心角Ｅ１は０．５度〜２度とする。
【００１１】
上記平刃１６は、各第１、第２傾斜刃１４，１５の先端切刃の回転反先行側１４ｂ，１５ｂに対して若干低くするとともに、その両端（刃厚）は上記回転反先行側１４ｂ，１５ｂに対して約０．２ｍｍ内方に位置させる。
【００１２】
上記実施例によれば、回転鋸１０を回転させて被削材を切断すると、刃丈が高く、かつすみ角が尖鋭となった各第１、第２傾斜刃１４，１５の先端切刃の回転反先行側１４ｂ，１５ｂが切り口面の内側を切削し、次いですみ角が鈍角となった先端切刃の回転先行側１４ａ，１５ａが切り口面の両側を切削することになる。このため、先端切刃の回転先行側１４ａ，１５ａによる切削稜線が短くなる。しかも、該回転先行側１４ａ，１５ａは３度〜１５度の横すくい角Ｂ１を有するので、上記切り口面の両側を内方に引き込みながら切削することになり、切り口面の両側切削時の衝撃が少なくなってこの部にこば欠け、亀裂等が発生しなくなる。
【００１３】
また、上記先端切刃の回転反先行側１４ｂ，１５ｂの内側に平刃１６が存在し、該平刃１６によって切り口面の内側を切削することになり、上記回転反先行側１４ｂ，１５ｂの切削稜線も短くなり、これによる切削時の衝撃も少なくなる。これにより、切り口面のこば欠け、亀裂等の発生が防止され、表面に硬質の化粧膜、例えばメラミン樹脂が固着された板材（化粧板）を円滑に切断することができる。なお、本発明による組刃は、各先端切刃１４ｂ，１５ｂを交互に４個配列した後、１個の平刃とした５刃１組みの組刃としてもよい。
【図面の簡単な説明】
【００１４】
【図１】本発明の実施例を示す回転鋸の部分側面図である。
【図２】図１の平面図である。
【図３】図１のIII示図である。
【図４】傾斜刃部の拡大側面図である。
【図５】図４のV示図である。
【図６】図４のVI示図である。
【図７】従来例を示す回転鋸の部分側面図である。
【図８】図７の平面図である。
【図９】図７のIX示図である。
【符号の説明】
【００１５】
１０    回転鋸
１１    台金
１２    刃台
１４    第１傾斜刃
１４ａ  先端切刃の回転先行側
１４ｂ  先端切刃の回転反先行側
１５    第２傾斜刃
１５ａ  先端切刃の回転先行側
１５ｂ  先端切刃の回転反先行側
１６    平刃
Ａ１  すくい角
Ｂ１  横すくい角
Ｄ１  先端傾き角
Ｓ１  側面逃げ角
Ｅ１  側面向心角
【図１】
2005059124.tif 000003
【図２】
2005059124.tif 000004
【図３】
2005059124.tif 000005
【図４】
2005059124.tif 000006
【図５】
2005059124.tif 000007
【図６】
2005059124.tif 000008
【図７】
2005059124.tif 000009
【図８】
2005059124.tif 000010
【図９】
2005059124.tif 000011